(57)【要約】無免許ＩＳＭ無線バンドの中で複数の周波数チャネルを有する通信網の中の１台のマスタデバイスと複数台のスレーブデバイスの間に接続リンクを確立する。該マスタデバイスと該スレーブデバイス間の該接続リンクを周波数ホッピング様式で実行することができる。マスタデバイスとスレーブデバイスとの間の非周波数ホッピング接続リンクの確立を要求するリンク要求をマスタデバイスに送信する。そして、搬送波電力、干渉および雑音のような測定チャネル状態が不都合でなく、マスタデバイスが前記接続リンクのために通信チャネルを選択できる場合に、要求されたように非周波数ホッピング接続リンクを確立する。マスタデバイスが前記通信チャネルを選択できない場合に周波数ホッピング様式で接続リンクを確立または維持する。
2004503139.tif 000002
【特許請求の範囲】
【請求項１】
無線周波数チャネルの中で複数の周波数チャネルを有する通信網の中の１台のマスタデバイスと複数台のスレーブデバイスの間に接続リンクを確立するための方法であって、該マスタデバイスと該スレーブデバイス間の該接続リンクを周波数ホッピング様式で実行することができ、
マスタデバイスと、スレーブデバイスの少なくとも１つとの間の非周波数ホッピング接続リンクの確立を要求するリンク要求をマスタデバイスに送信するステップと、
マスタデバイスが前記非周波数ホッピング接続リンクのために通信チャネルを選択できる場合に、要求されたように非周波数ホッピング接続リンクを確立するステップと、
マスタデバイスが前記非周波数ホッピング接続リンクのために該通信チャネルを選択できない場合に周波数ホッピング様式で接続リンクを確立または維持するステップと、
を備える前記方法。
【請求項２】
マスタデバイスが非周波数ホッピング接続リンクに通信チャネルを選択するためにチャネル状態を測定するステップをさらに備える請求項１記載の方法。
【請求項３】
チャネル状態がチャネルの搬送波電力および接続リンクに影響を及ぼす干渉と雑音のレベルを含む請求項２記載の方法。
【請求項４】
チャネル状態の測定がマスタデバイスによって実行される請求項２記載の方法。
【請求項５】
チャネル状態の測定が前記の少なくとも１つのスレーブデバイスによって実行される請求項２記載の方法。
【請求項６】
測定時間と測定される周波数を含む複数の測定パラメータを、スレーブデバイスの前記の１つが測定パラメータに基づいてチャネル状態を測定できるように、前記の少なくとも１つのスレーブデバイスに送信するステップをさらに備える請求項５記載の方法。
【請求項７】
チャネル状態測定の結果を報告する測定レポートをマスタデバイスに送信するステップをさらに備える請求項５記載の方法。
【請求項８】
非周波数ホッピング接続リンクのために使用される周波数を含む複数のチャネルパラメータを前記少なくとも１つのスレーブデバイスに送信するステップをさらに備える請求項１記載の方法。
【請求項９】
チャネルパラメータがさらに変調コードレートを含む請求項８記載の方法。
【請求項１０】
チャネルパラメータがさらにサービス品質の要求を含む請求項８記載の方法。
【請求項１１】
マスタデバイスが前記非周波数ホッピング接続リンクに通信チャネルを選択できる場合に、マスタデバイスが周波数ホッピング様式でのそのマスタデバイスの役割を放棄する請求項１記載の方法。
【請求項１２】
マスタデバイスが前記の非周波数ホッピング接続リンクに通信チャネルを選択できる場合に、マスタデバイスが周波数ホッピング様式でのそのマスタデバイスの役割を放棄するように要求されない請求項１記載の方法。
【請求項１３】
リンク要求が前記の少なくとも１つのスレーブデバイスによってリンク管理プロトコルプロトコルデータ装置として送出される請求項１記載の方法。
【請求項１４】
無線周波数チャネルの中で複数の周波数チャネルを有する通信網の中の１台のマスタデバイスと複数台のスレーブデバイスの間に接続リンクを確立するための伝送路の適応割り当てを行ない、該マスタデバイスと該スレーブデバイス間の該接続リンクが周波数ホッピング様式で実行できるシステムであって、
スレーブデバイスが、非周波数ホッピング様式で接続リンクにチャネルを割り当てるようにマスタデバイスに要求するための機構と、
マスタが、それが要求されたチャネルを割り当てることができるかどうかを判断するための機構と、
マスタが要求されたチャネルを割り当てることができる場合に、マスタデバイスと、割り当てられたチャネル上の要求側スレーブデバイスの間に非周波数ホッピング接続リンクを確立するための機構と、
マスタが要求されたチャネルを割り当てることができない場合に、マスタデバイスと要求側スレーブデバイスの間に周波数ホッピング接続リンクを確立または維持するための機構と、
を備える前記システム。
【請求項１５】
スレーブデバイスが、マスタデバイスが前記適応チャネルを割り当てることができるかどうかを示すマスタデバイスからの応答を、マスタデバイスに送信された要求に応えて受信することができない場合に、スレーブデバイスが周波数ホッピング接続リンクを維持するための機構をさらに備える請求項１４記載のシステム。
【請求項１６】
マスタデバイスが、前記適応チャネルに影響を及ぼす可能性のある周波数チャネルの搬送波電力と、干渉と雑音のレベルを含むチャネル状態に基づいて前記適応チャネルを割り当て、チャネル状態を測定するための機構をさらに備える請求項１４の前記システム。
【発明の詳細な説明】
【０００１】
［技術分野］
本発明は、概して、２．４５ＧＨｚあたりの無線周波数で動作するいわゆるブルートゥース通信システムにかかわり、詳細には、ブルートゥース無線周波数バンドで動作するピコネットでの適応伝送路の割り当てにかかわる。
【０００２】
［背景技術］
ブルートゥースシステムは、短距離無線リンクを介する２台の電子装置間で通信チャネルを提供する。とくに、ブルートゥースシステムは、無免許の産業−科学−医療（ＩＳＭ）用バンドの約２．４ＧＨｚあたりの無線周波数範囲で動作する。ブルートゥース無線リンクは、携帯電子装置および／または固定電子装置間のケーブルの代替品となることを目的としている。該携帯装置は、携帯電話、発信機、オーディオヘッドセット、ラップトップコンピュータ、他のＧＥＯＳ−ベースまたはパームＯＳベースの装置、およびさまざまなオペレーティングシステムを搭載した装置を含む。
【０００３】
ブルートゥース作動周波数は世界的に利用できるが、ブルートゥースバンドの許容帯域幅および使用可能なＲＦチャネルの数は国によって異なることがある。世界的には、ブルートゥース作動周波数は２４００ＭＨｚから２４９７ＭＨｚの範囲に該当する。米国において、および欧州においては、８３．７ＭＨｚの帯域幅のバンドが使用可能であり、該バンドは、１ＭＨｚ間隔で間隔を置いて配置される７９個のＲＦチャネルに分割される。ブルートゥースネットワーク装置は、複数の電子装置間で接続リンクを提供するためにポイントツーポイントまたはポイントツーマルチポイントのどちらかとなる場合がある。２台から８台の装置が１つのピコネットに動作可能なように接続でき、指定期間に、該装置の内の１台がマスタとしてサービスを提供するが、それ以外はスレーブである。複数のピコネットはスキャタネットとして知られているさらに大規模な通信網を形成し、それぞれのピコネットはその独立性を保つ。ブルートゥースシステム用のベースバンドプロトコルは、回路スイッチングとパケットスイッチングを共用する。回路スイッチングは、非同期または同期のどちらにもなりえる。１つの物理チャネルでは、最高３つの同期データ（論理）チャネル、あるいは１つの同期データチャネルと１つの非同期データチャネルをサポートすることができる。各同期チャネルは毎秒６４Ｋｂの伝送速度をサポートできるが、非同期チャネルは１つの方向で最高毎秒７２１Ｋｂ、反対の方向で毎秒５７．６Ｋｂまで伝送できる。リンクが対称である場合、非同期チャネルにおける転送速度は毎秒４３２．６Ｋｂをサポートできる。典型的なブルートゥースシステムは１つの無線リンク、１台のリンク制御装置、およびリンク管理とホスト端末インタフェース機能用の１台のサポート装置から成り立っている。該ブルートゥースリンク制御装置が、ベースバンドプロトコルおよび他の低レベルルーチンを実行する。リンクセットアップおよび制御用のリンク層メッセージは、リンク管理プロトコル（ＬＭＰ）で定義される。無線雑音干渉および信号フェイディングの問題を克服する目的で、現在では、接続を堅牢にするために周波数ホッピングが使用されている。
【０００４】
現在、７９のＲＦチャネルのそれぞれがブルートゥース帯域幅を通して擬似ランダムホッピングシーケンスにより活用されている。該ホッピングシーケンスは各ピコネット用であり、クロックが該ホッピングシーケンスの位相を決定するために使用されるマスタのブルートゥースデバイスアドレスにより決定される。チャネルは長さ６２５μｓのタイムスロットに分割され、マスタクロックに従って番号を付けられ、それぞれのタイムスロットがＲＦホップ周波数に対応し、それぞれの連続するホップが別のＲＦホップ周波数に対応する。名目ホップ速度は毎秒１６００ホップである。ピコネットに参加しているすべてのブルートゥースデバイスがチャネルに時間とホップで同期している。スロット番号付けは、０から２２７−１の範囲となり、サイクル長２２７で循環する。タイムスロットでは、マスタデバイスとスレーブスライスがパケットを伝送できる。該マスタデバイスまたは該スレーブデバイスにより伝送されるパケットは、最高５個のタイムスロットに拡張できる。ＲＦホップ周波数は、パケット伝送の期間中固定したままである。
【０００５】
ＩＳＭ周波数バンドは、無線ローカルエリアネットワーク（ＬＷＡＮ）、電子レンジ、および照明設備を含む多くの異なるデバイスによって使用できる。これらの複数の異なるアプリケーションによって生じる干渉は、ピコネットに接続されるほとんどあらゆる装置にとって避けられないものである。現在では、ＩＳＭ周波数バンドの使用量は非常に早く伸びている。これらの周波数バンドで生き延びるためには、新しい無線通信システムは一定のチャネル割り当て方法を備えた堅牢な変調方式を活用しなければならない。たとえば、ＷＬＡＮシステムは、伝送が各チャネルで短時間だけ発生する周波数ホッピングスペクトル拡散（ＦＨＳＳ）方法、および拡散による狭帯域干渉を克服する直接シーケンススペクトル拡散（ＤＳＳＳ）変調を使用している。しかしながら、これらのシステムでは、チャネルの割り当て、つまりチャネル接続は、搬送波検出（ＣＳ）法または符号分割多元接続（ＣＤＭＡ）法のどちらかを使用することにより編成される。ＣＳ法では、使用が予定されるチャネルのそれぞれが、そのチャネル内で伝送が発生しているかどうかを判断するために測定される。測定中のチャネルに継続中の伝送がない場合には、そのチャネルはホッピングに使用できる。搬送波検出法の主要な問題点は、測定が、異なる変調方法を使用するトラフィックタイプには効果がないという点である。ＣＤＭＡ方法では、狭帯域干渉波が受信機内で拡散されるが、実際には受信される雑音が増加し、それによってシステムの雑音マージンを削減する。要すれば、さまざまなホッピング周波数を使用することによって仮想トラフィックチャネルを確立することもできる。しかしながら、これにより、干渉が発生するスペクトルの部分は回避されない。
【０００６】
干渉および雑音レベルがチャネル接続に悪影響を及ぼす可能性があるスペクトルの部分を効果的に回避することによって、ＩＳＭバンド内で動作しているデバイス間で接続を行なうための方法およびシステムを提供することは有利かつ望ましい。
【０００７】
［発明の開示］
本発明の第１の目的は、周波数ホッピング方式（ＢＴ　１．０）も使用される環境で非周波数ホッピング様式（ＢＴ　２．０）で動作することができるピコネットデバイスの遡及的な互換性を保証するための方法およびシステムを提供することである。遡及的な互換性は、ＢＴ　２．０デバイスがＢＴ　１．０デバイスと互換性があることを保証する。
【０００８】
したがって、本発明は、１つの無線周波数バンドの中に複数の周波数チャネルを有する通信網で１台のマスタデバイスと複数台のスレーブデバイス間に接続リンクを確立するための方法を提供し、該マスタ装置と該スレーブ装置間の該接続リンクは、周波数ホッピング様式で実行できる。該方法は、
マスタデバイスとスレーブデバイス間の非周波数ホッピング接続リンクの確立を要求するリンク要求をマスタデバイスに送信するステップと、
マスタデバイスが前記非周波数ホッピング接続リンクに通信チャネルを選択できる場合に、要求されたように該非周波数ホッピング接続リンクを確立ステップと、
マスタデバイスが前記非周波数ホッピング接続リンクに通信チャネルを選択できない場合に、周波数ホッピング様式で接続リンクを確立または維持するステップと、
を備える。
【０００９】
好ましくは、前記方法は、さらに、マスタデバイスが非周波数ホッピング接続リンク用の通信チャネルを選択するために、チャネルの搬送波電力、および接続リンクに影響を及ぼす干渉レベルと雑音レベルを含むチャネル状態を測定するステップを備える。チャネル状態の該測定は、マスタデバイスまたは要求側スレーブデバイスにより実行される。
【００１０】
好ましくは、前記方法は、測定時間と測定される周波数を含む複数の測定パラメータを、スレーブデバイスが該測定パラメータに基づいてチャネル状態を測定するために要求側スレーブデバイスに送信するステップも含む。
【００１１】
好ましくは、前記方法は、チャネル状態測定の結果を報告する測定レポートを、スレーブデバイスによってマスタデバイスに送信するステップも含む。
【００１２】
スレーブデバイスと非周波数ホッピング接続リンクを確立すると、マスタデバイスは、非要求側スレーブデバイスに対するマスタデバイスとしてのその役割を放棄するまたは保持することができる。
【００１３】
本発明は、１つの無線周波数バンドの中に複数の周波数チャネルを有する通信網でマスタデバイスと少なくとも１台のスレーブデバイスの間に接続リンクを確立するために伝送路の適応割り当てのためのシステムも提供し、マスタデバイスとスレーブデバイス間の接続リンクは周波数ホッピング方式で実行される。システムは、
スレーブデバイスがマスタデバイスに、非周波数ホッピング様式で通信リンクにチャネルを割り当てるように要求するための機構と、
マスタが、それが要求されたチャネルを割り当てることができるかどうかを判断するための機構と、
マスタが要求されたチャネルを割り当てることができる場合に、マスタデバイスと割り当てられたチャネル上の要求側スレーブデバイスの間で非周波数ホッピング接続リンクを確立するための機構と、
マスタが要求されたチャネルを割り当てることができない場合に、マスタデバイスと要求側スレーブデバイス間で周波数ホッピング接続リンクを確立する、または維持するための機構と、
を備える。
【００１４】
好ましくは、スレーブデバイスがマスタデバイスから要求に応える応答を受信できない場合、スレーブデバイスは周波数ホッピング接続リンクを維持する。
【００１５】
本発明は、図１ａから図１５を関連づけて解釈されると明らかになるだろう。
【００１６】
［最良形態］
図１ａから図１ｇは、周波数ホッピング様式で接続できる複数のデバイスＭ、Ｓ１、Ｓ２およびＳ３を有するピコネット１０内での接続リンクの確立手段を示す図式表示である。周波数ホッピング接続リンクは技術で周知であり、このような接続は、ここでは、ブルートゥース仕様書第１版（ＢＴ　１．０）に関連付したＢＴ　１．０接続リンクと呼ばれている。図示されているように、Ｍは現在マスタデバイスであり、Ｓ１、Ｓ２およびＳ３がスレーブデバイスである。ここに説明される手順は、スレーブデバイスが非周波数ホッピング方式でマスタデバイスＭとの接続リンクの確立を希望するケースに限られている。非周波数ホッピング様式は、ここではＢＴ２．０と呼ばれている。図１ａに図示されているように、マスタデバイスＭとスレーブデバイスＳ１、Ｓ２およびＳ３の間の接続リンク１０２、１０４、および１０６は、当初ＢＴ　１．０様式に従って確立されている。任意の時点で、スレーブデバイスＳ１、Ｓ２およびｓ３のどれか１つがＢＴ　２．０リンクセットアップを要求する要求をマスタデバイスＭに送信できる。例示的な目的のため、初期段階では、スレーブデバイスＳ２が、マスタデバイスＭとのＢＴ　２．０接続リンクをセットアップすることを希望する起動側装置である。図１ａに図示されるように、スレーブデバイスＳ２は、ＢＴ　２．０接続リンクを要求する要求２００をマスタデバイスＭに送信する。たとえば、この要求は、図２で示すようにＬＭＰ　ＰＤＵの形で送り込むことができる。要求受信時に、マスタデバイスＭは、表１に一覧表示されるように、３つの異なるＰＤＵを用いて要求に応答してよい。
【００１７】
【表１】
2004503139.tif 000003
【００１８】
したがって、マスタは以下を送信してよい。
ａ）マスタがこの非周波数ホッピング接続リンクをサポートできない場合には、ＬＭＰ＿ｎｏｔ＿ａｃｃｅｐｔｅｄ　ＰＤＵ（図３を参照すること）、あるいは
ｂ）マスタがこの非周波数ホッピング接続リンクをサポートできる場合には、ＬＭＰ＿ａｃｃｅｐｔｅｄ＿ｓｔａｒｔＰＤＵ（図４を参照すること）またはＬＭＰ＿ａｃｃｅｐｔｅｄ＿ｅｓｔａｂｌｉｓｈ　ＰＤＵ（図５を参照すること）。
【００１９】
図１ｂに図示されるように、マスタデバイスＭがＬＭＰ＿ａｃｃｅｐｔｅｄ＿ｓｔａｒｔ　ＰＤＵ２０２で応答する場合は、マスタデバイスは、チャネル測定のために要求側スレーブデバイスＳ２に複数の測定パラメータを提供する。ＬＭＰ＿ａｃｃｅｐｔｅｄ＿ｓｔａｒｔ　ＰＤＵ２０２は、たとえば測定時間と測定される周波数を含む。チャネル測定中、マスタデバイスＭとスレーブデバイスＳ２は、搬送波電力Ｃおよび／または干渉レベルと雑音レベルＩ＋Ｎ（これ以降Ｉとして示される）を測定する。この時間中、マスタＭはピコネット１０で他のＢＴ　１．０トラフィックをサポートできる。システム周波数バンドの測定は、マスタデバイスＭのホッピングパターンに従って各チャネルでバンドを走査することによって実行される。Ｃ測定は、マスタツースレーブタイムスロット中に実行される。好ましくは、各チャネルでの搬送波電力Ｃは、測定側スレーブデバイスの受信機の受信信号強度表示（ＲＳＳＩ）の機能を使用してスレーブデバイスによって決定される。Ｉレベルの測定は、別のスレーブデバイス（つまり、要求側スレーブデバイスＳ２ではない）によって伝送されるスレーブツーマスタタイムスロット中に実行される。スレーブツーマスタ伝送自体またはそのスペクトル漏れを測定するのを避けるために、スレーブツーマスタ周波数チャネルと測定される周波数の間の適切な周波数オフセットが使用されなければならない。周波数オフセットは、図１０から図１２ｂに関連してさらに詳細に後述される。マスタデバイスＭによって定義されるような走査時間が終了した後、スレーブデバイスＳ２は図１ｃに図示されるようにマスタデバイスＭに測定レポートを伝達する。たとえば、スレーブデバイスＳ２は、図６に図示されるように、ＬＭＰ＿ｍｅａｓｕｒｅｍｅｎｔ＿ｒｅｐｏｒｔ　ＰＤＵ（２０４）で測定結果を返信する。
【００２０】
マスタデバイスＭがチャネル測定を実行できることにも注意する必要がある。そのケースでは、図１ｂと図１ｃに説明されるような手続きステップは省略できる。
【００２１】
測定結果に基づき、マスタデバイスＭは、ＢＴ　２．０接続リンクのために非ホッピングチャネルを選択し、図１ｄに図示されるように、スレーブデバイスＳ２にＬＭＰ＿ａｃｃｅｐｔｅｄ＿ｅｓｔａｂｌｉｓｈ　ＰＤＵ　２０６（図５を参照すること）でチャネルパラメータを送信する。この送信は、図１ｅに図示されるように、ＡＣＫ信号２０８でスレーブからの受信肯定信号であるＬＭＰ＿ａｃｃｅｐｔｅｄ＿ｅｓｔａｂｌｉｓｈによって確認される。この時点で、図１ｆに図示されるように、マスタデバイスＭは、非要求側スレーブデバイスＳ１とＳ３の間でＢＴ　１．０接続リンクを維持するために、非要求側スレーブデバイスの１つ、たとえばＳ３を新しいマスタデバイスとして任命することによって、マスタ−スレーブ切替え動作１１８を確立する。それと同時に、マスタデバイスＭは、たとえばスレーブデバイスＳ２がそのフレームを肯定応答するまで、固定間隔で一定のデータフレーム２０８を送信することによってスレーブデバイスＳ２とのＢＴ　２．０伝送を開始する。最終的に、マスタデバイスＭは、図１ｇに図示されるように、現在ＢＴ　２．０端末Ｔ１となったスレーブデバイスＳ２と非周波数ホッピング様式で通信リンクを確立するために、そのマスタの役割を放棄してＢＴ　２．０端末Ｔ２になる。ＢＴ　２．０通信リンクは、数字２１２で示される。スレーブデバイスＳ１とＳ３の間の新しい接続リンクは、数字１２０で示されるＢＴ　１．０リンクである。このようにして、マスタデバイスＭとスレーブデバイスＳ２の遡及的な互換性により、これらのデバイスはＢＴ　２．０様式またはＢＴ　１．０様式のどちらでも動作できる。
【００２２】
マスタデバイスＭが、スレーブデバイスＳ２とのＢＴ　２．０リンクを有しながら同時に、依然としてＢＴ　１．０リンクの非要求側スレーブデバイスＳ１とＳ３にとってのマスタデバイスの役割を維持することも可能であることに注意する必要がある。
【００２３】
搬送波電力Ｃおよび／または干渉と雑音の状態Ｉに関するチャネル状態は、端末Ｔ１とＴ２の間のデータ転送中に変化することがある。したがって、現在の非ホッピングチャネルのために使用される選択された周波数が、もはやＢＴ　２．０接続リンク内のデータ伝送にとって最良の周波数ではない可能性がある。チャネル状態の変化を監視するために、端末Ｔ１とＴ２は、使用される周波数チャネルの伝搬特性およびデータフロー品質を監視するように改良できる。たとえば、監視は、ＲＳＳＩの連続平均値、伝送電力、平均パケット誤り率、平均ビット誤り率、使用される変調／コーディング、およびデータパケットメモリ監視を含むことができる。これらの値は、閾値として使用される無線サービスの品質（ＱｏＳ）パラメータと比較される。閾値が満たされない場合、別の周波数が新しい非ホッピングチャネルのために選択される。ＢＴ　２．０端末（この例示的な例ではＴ１とＴ２）のなかで、新しいＢＴ　２．０接続リンクで使用される周波数に関する決定を下す権限を与えられる端末もあるが、与えられないものもある。したがって、決定権のない端末は閾値の失敗を、権限が与えられた端末に報告しなければならない。とくに、特定的なＰＤＵ、すなわちＬＭＰ＿ｒａｄｉｏＱｏＳ＿ｆａｉｌｕｒｅが、閾値の失敗を報告するために使用できる。このＰＤＵは、１つまたは複数のどのＱｏＳ基準が満たされていないのか、および現在のＲＳＳＩ値、パケット誤り率などを示すことができる。該ＰＤＵは、
ａ）平均ＲＳＳＩが一定の閾値を超えているか、下回っているか
ｂ）パケット誤り率が一定の閾値を超えているか
ｃ）伝送電力が一定の閾値を超えているか、および
ｄ）使用される変調／コードが実現可能な変調／コーティング方式のセットに属するかどうか
を報告するために使用できる。
【００２４】
ＢＴ　２．０接続リンクを維持するために別の周波数を使用することが必要とされるときには、ＢＴ　２．０接続リンクで使用される周波数に関する決定を下す権利を与えられた端末は、以下の３つの選択肢をもつ。
１）端末は、ＢＴ　２．０接続リンクのために現在使用されている選択された周波数に留まり、データフロー品質を改善するためにリンクの適応操作および／または送信電力制御を使用することを決定できる。伝送が連続的ではなく定期的に繰り返される場合は、タイミングの変更が考慮されてよい。
２）端末は、新しい非ホッピングチャネル用に新しい周波数を選択するために、新しい測定プロセスを開始できる。
３）端末は、過去のチャネル測定結果に基づき新しい非ホッピングチャネルに新しい周波数を割り当てることができる。たとえば、それは、過去のチャネル測定結果において干渉と雑音レベルが低いという点で２番目に最良の周波数を選ぶことができるだろう（図１４を例えにあげれば、ｆ２が最良の周波数であり、ｆ１が２番目に最良の周波数である。）
【００２５】
前記代替策に関して適切な処置を選択するには２つの段階を含むことができる。第１段階では、無線ＱｏＳの劣化が不十分なＲＳＳＩによって生じるのか、それとも干渉のために生じるのかが判断される。これは、ＲＳＳＩ値、パケット誤り率、および使用される変調／コーディング方法を比較することによって実行できる。原因が干渉である（つまり、ＲＳＳＩが使用される変調／コーディングに十分であるが、パケット誤り率が高い）場合には、新しいチャネル測定プロセスまたは過去の測定に基づく新しい周波数割り当てを実行できる。原因が不十分なＲＳＳＩである場合には、前述したオプション１を選択しなければならない。第２段階は、干渉が無線ＱｏＳ劣化の原因である場合にだけ必要である。第２段階では、関係するデバイスが遅延に敏感ではない場合はオプション２を選択しなければならないが、関係するデバイスが遅延に敏感である場合にはオプション３を選択しなければならない。
【００２６】
図２から図６は、ＬＭＰ　ＰＤＵフォーマットである。図２は、巡回冗長検査（ＣＲＣ）および符号化の前のＬＭＰ＿ＢＴ２．０＿ｒｅｑ　ＰＤＵのビットレベル記述を表す。図２に図示されるように、ペイロード領域内の操作コード５６は、要求された接続リンクがＢＴ　２．０様式に準拠していることを示すために使用される。
【００２７】
図３に図示されるように、ＬＭＰ＿ｎｏｔ＿ａｃｃｅｐｔｅｄ　ＰＤＵは、応答が要求されたＢＴ　２．０接続リンクに関係することを示すためにペイロード領域に操作コード５６を含む。ペイロード領域は、マスタが該ＢＴ　２．０リンクをサポートできない理由（Ｕｎｓｕｐｐｏｒｔ＿ＬＭＰ＿ｆｅａｔｕｒｅ）を含むことがある。
【００２８】
図４に図示されるように、ＬＭＰ＿ａｃｃｅｐｔｅｄ＿ｓｔａｒｔ　ＰＤＵは、応答が要求されたＢＴ　２．０接続リンクに関係していることを示すためにペイロード領域内に操作コード５６を含む。ペイロード領域は、チャネル測定のための測定パラメータも含む。図４に図示されているように、測定パラメータは、スレーブデバイスが、各チャネルでのチャネル状態を測定するための走査時間（Ｍｅａｓｕｒｅｍｅｎｔ＿ｔｉｍｅ）を含むことがある。
【００２９】
図５に図示されるように、ＬＭＰ＿ａｃｃｅｐｔｅｄ＿ｅｓｔａｂｌｉｓｈ　ＰＤＵは、ＢＴ　２．０接続リンクのために使用される周波数（Ｕｓｅｄ＿ｆｒｅｑｕｅｎｃｙ）、モジュラコードレート（ＭＣＲ）およびＱｏＳパラメータなどのリンク確立パラメータを含むことがある。ＱｏＳパラメータセットは、無線ＱｏＳパラメータスレッショルドも含む。ＱｏＳパラメータは、ｍｉｎ＿ｍｅａｎ＿ＲＳＳＩ、ｍａｘ＿ｍｅａｎ＿ＲＳＳＩ、ｍａｘ＿ｐＡＣＫｅｔ＿ｅｒｒｏｒ＿ｒａｔｅ、ｍａｘ＿Ｔｘ＿ｐｏｗｅｒ、ｍｉｎ＿Ｔｘ＿ｐｏｗｅｒ、およびｓｅｔ＿ｏｆ＿ｆｅａｓｉｂｌｅ＿ｍｏｄｕｌａｔｉｏｎ／ｃｏｄｉｎｇ＿ｒａｔｅｓも含む。
【００３０】
図６に図示されるように、ＬＭＰ＿ｍｅａｓｕｒｅｍｅｎｔ＿ｒｅｐｏｒｔ　ＰＤＵは、複数の測定チャネル（Ｍｅａｓｕｒｅｍｅｎｔ＿ｆｒｅｑ）において測定された搬送波電力Ｃ値（Ｃ＿Ｖａｌｕｅ）および干渉雑音Ｉレベル（Ｉ＿Ｖａｌｕｅ）を含んでよい。
【００３１】
スレーブデバイスの要求でＢＴ　２．０接続リンクを確立する過程で、要求側スレーブデバイスとマスタデバイスの間で起こりうるシグナリングシーケンスが図７ａと図７ｂに図示される。図７ａでは、元は、スレーブデバイスとマスタデバイスは、符号１００で示されるようにＢＴ　１．０様式に従ってリンクされている。開始段階では、スレーブはマスタデバイスにＬＭＰ＿ＢＴ２．０＿ｒｅｑ　ＰＤＵ２００を送信し、ＢＴ　２．０リンクの確立を要求する。マスタがなんらかの理由でＢＴ　２．０リンクをサポートできない場合、それは要求側スレーブにＬＭＰ＿ｎｏｔ＿ａｃｃｅｐｔｅｄ　ＰＤＵ　２０１を送信することによって応答し、ＢＴ　２．０リンクをサポートしない理由を述べる。たとえば、ＢＴ　２．０リンクをサポートしない理由は、データフロー品質が、現在無線ＱｏＳ要件を下回っていることを含む可能性がある。したがって、スレーブデバイスとマスタデバイス間のＢＴ　１．０リンクは、符号１００‘によって示されるように維持される。マスタデバイスがＢＴ　２．０接続リンクについて何も知らず、要求２００に応答できないときにも、スレーブデバイスはマスタデバイスからの応答を無期限に待つことなく、設定された待機時間後はＢＴ　１．０接続リンクを維持することができる（図８ａ、ステップ３１７を参照すること）。後に、スレーブデバイスはマスタデバイスに別のＬＭＰ＿ＢＴ２．０＿ｒｅｑ　ＰＤＵ　２００’を送信し、再びＢＴ　２．０リンクの確立を要求する。マスタがＢＴ　２．０をサポートすることができ、それがＢＴ　２．０リンクの周波数を選択した場合、それは、選択された周波数、ＭＣＲおよび必要とされたＱｏＳパラメータを含むＬＭＰ＿ａｃｃｅｐｔｅｄ＿ｅｓｔａｂｌｉｓｈ　ＰＤＵ　２０６を要求側スレーブデバイスに送信することによって要求に応える。その後、ＢＴ　２．０リンクが、符号２００によって示されるようにマスタデバイスと要求側スレーブの間で確立される。しかしながら、図１ｇに示されるように、マスタはそのマスタの役割を放棄し、ＢＴ　２．０端末にならなければならない。
【００３２】
別の考えられる信号シーケンスが図７ｂに図示される。図７ｂに図示されるように、マスタデバイスは、スレーブデバイスからＢＴ　２．０リンクの確立を要求する要求２００”を受信すると、非周波数ホッピングリンクを確立するために、要求側スレーブデバイスに測定される周波数を含むＬＭＰ＿ａｃｃｅｐｔｅｄ＿ｓｔａｒｔ　ＰＤＵ　２０２を送信する。スレーブデバイスは、符号１９０によって示されているように、搬送波電力Ｃおよび／または干渉および雑音状態Ｉを測定し、ＬＭＰ＿ｍｅａｓｕｒｅｍｅｎｔ＿ｒｅｐｏｒｔ　ＰＤＵ２０４で測定結果をマスタに報告する。マスタは、測定結果に基づきＢＴ　２．０リンクの周波数を選択する。マスタは、選択された周波数、ＭＣＲおよび必要とされるＱｏＳパラメータを含むＬＭＰ＿ａｃｃｅｐｔｅｄ＿ｅｓｔａｂｌｉｓｈ　ＰＤＵ　２０６’を要求側スレーブデバイスに送信する。その後、ＢＴ　２．０リンクが、符号２２０’によって示されるように、マスタデバイスと要求側スレーブの間で確立される。ＬＭＰ　ＰＤＵは非同期コネクションレス（ＡＣＬ）リンクで送信されるため、すべてのパケットがリンク制御レベルで肯定応答される。したがって、リンク管理レベルの別個の肯定応答信号ＡＣＫは必要とされない。
【００３３】
図８ａおよび図８ｂは、要求側スレーブデバイスによって実行されるステップのシーケンスを示すフローチャートである。図８ａに図示されるように、初期には、スレーブデバイスは、符号３１０によって示されるようにＢＴ　１．０様式で接続されている。スレーブデバイスはマスタとのＢＴ　２．０リンクの確立を希望するので、ステップ３１２でその上層からＢＴ　２．０リンクセットアップメッセージを初期化することによって開始し、ステップ３１４でマスタデバイスにＬＭＰ＿ＢＴ２．０＿ｒｅｑ　ＰＤＵを送信する。スレーブデバイスは、ステップ３１６でマスタからの応答を待機する。マスタデバイスがある理由から要求に応答できず、スレーブデバイスがマスタから応答を受信しないことが起こりうる。好ましくは、スレーブデバイスはこのような応答を受信するためのある時間を設定する。ステップ３１７に図示されるように、スレーブデバイスが、設定時間が期限切れになった後にマスタデバイスから応答を受信しなければ、スレーブデバイスはステップ３２０で上層に要求の失敗を示す。設定時間が期限切れにならなければ、スレーブデバイスは、ステップ３１８で応答を受信するまで待機し続ける。マスタデバイスからの応答に関して３つの可能性がある。つまり、ａ）応答はＬＭＰ＿ｎｏｔ＿ａｃｃｅｐｔｅｄ　ＰＤＵである、ｂ）応答はＬＭＰ＿ａｃｃｅｐｔｅｄ＿ｅｓｔａｂｌｉｓｈ　ＰＤＵである、もしくはｃ）応答はＬＭＰ＿ａｃｃｅｐｔｅｄ＿ｓｔａｒｔ　ＰＤＵである。可能性（ａ）が発生すると、スレーブデバイスは、ステップ３２０で上層に要求の失敗を示す。スレーブとマスタ間のＢＴ　１．０リンクは、符号３２２で示されるように維持されるか、確立し直される。可能性（ｂ）が発生すると、スレーブデバイスは、ステップ３２４でマスタデバイスにより選択される周波数に従ってＢＴ　２．０接続リンクを確立し、ステップ３２６で上層にＢＴ　２．０接続リンクを示す。スレーブデバイスとマスタデバイスの間のＢＴ　２．０リンクは、符号３２８で示されるように、それが必要とされる限り維持される。可能性（Ｃ）が発生すると、スレーブデバイスは、図８ｂに図示されるようにチャネル測定手順を実行する。
【００３４】
図８ｂに図示されるように、スレーブデバイスは、ステップ３３０でチャネル状態を測定し、ステップ３３２でマスタチャネルに測定結果を送信する。スレーブデバイスは、次の行動を採るために、ステップ３３４でマスタデバイスからの応答を待機しなければならない。マスタデバイスからの応答には、次の２つの可能性がある。つまり、ａ）応答はＬＭＰ＿ｎｏｔ＿ａｃｃｅｐｔｅｄ　ＰＤＵである、あるいはｂ）応答はＬＭＰ＿ａｃｃｅｐｔｅｄ＿ｅｓｔａｂｌｉｓｈ　ＰＤＵである。可能性（ａ）が発生すると、スレーブデバイスは、ステップ３４０で上層に要求の失敗を示す。数字３４２で示されるように、スレーブとマスタ間のＢＴ　１．０リンクが維持されるか、あるいは確立し直される。可能性（ｂ）が発生する場合、スレーブデバイスは、ステップ３４４でマスタデバイスによって選択される周波数に従ってＢＴ　２．０接続リンクを確立し、ステップ３４６で上層にＢＴ　２．０リンクを示す。スレーブデバイスとマスタデバイス間のＢＴ　２．０リンクは、数字３４８で示されるように、それが実現可能である限り維持される。
【００３５】
図９ａおよび図９ｂは、マスタデバイスによって実行されるステップのシーケンスを示すフローチャートである。図９ａに図示されるように、初期に、マスタデバイスは、数字３６０で示されるようにＢＴ　１．０様式でスレーブデバイスと接続されている。マスタデバイスは、ステップ３６２でＢＴ　２．０接続リンクを確立することを要求するＬＭＰ＿ＢＴ２．０＿ｒｅｑ　ＰＤＵをスレーブチャネルから受信すると、ステップ３６４で、それがＢＴ　２．０接続リンクをサポートできるかどうか、およびスレーブデバイスへの応答方法を決定する。ステップ３６６で要求側スレーブデバイスに送信される応答に関して３つの可能性がある。ａ）応答はＬＭＰ＿ｎｏｔ＿ａｃｃｅｐｔｅｄ　ＰＤＵであり、マスタデバイスが少なくともその時点ではＢＴ　２．０接続リンクをサポートできないことを示す。ｂ）応答はＬＭＰ＿ａｃｃｅｐｔｅｄ＿ｅｓｔａｂｌｉｓｈ　ＰＤＵである。ｃ）応答はＬＭＰ＿ａｃｃｅｐｔｅｄ＿ｓｔａｒｔ　ＰＤＵである。可能性（ａ）が発生すると、スレーブとマスタの間のＢＴ　１．０リンクが、数字３６８で示されるように維持されるか、確立し直される。可能性（ｂ）が発生すると、マスタデバイスは、ステップ３７０で要求側スレーブデバイスにリンク確立パラメータを提供し、ステップ３７２で上層にＢＴ　２．０接続リンクを示す。スレーブデバイスとマスタデバイス間のＢＴ　２．０リンクは、数字３７４で示されるように、それが実現可能である限り維持される。可能性（ｃ）が発生すると、マスタデバイスは、要求側スレーブデバイスに、チャネル測定手順を実行するための測定パラメータを与え、プロセスは図９ｂで続行する。
【００３６】
図９ｂに図示されるように、マスタデバイスは、要求側スレーブチャネルにＬＭＰ＿ａｃｃｅｐｔｅｄ＿ｓｔａｒｔ　ＰＤＵを送出した後、ステップ３８０で要求側スレーブデバイスからＬＭＰ＿ｍｅａｓｕｒｅｍｅｎｔ＿ｒｅｐｏｒｔ　ＰＤＵに含まれる測定結果を待機する。マスタは、測定結果に基づき、ステップ３８２で次の行動を決定しなければならない。マスタデバイスによって下される決定に関して２つの可能性がある。つまり、ａ）マスタは、要求側スレーブデバイスによって測定されるチャネル状態に基づき、要求されたＢＴ　２．０接続リンクをサポートできないことを示すためにスレーブデバイスにＬＭＰ＿ｎｏｔ＿ｃｏｎｎｅｃｔｉｏｎリンクを送信する。あるいはｂ）マスタは、要求側スレーブデバイスにリンク確立パラメータを与えるためにＬＭＰ＿ａｃｃｅｐｔｅｄ＿ｅｓｔａｂｌｉｓｈ　ＰＤＵを送信する。可能性（ａ）が発生すると、符号３８６で示されるように、スレーブとマスタ間のＢＴ　１．０リンクが維持されるか、確立し直される．可能性（ｂ）が発生すると、ステップ３８８でＢＴ　２．０接続リンクが確立され、上層は、ステップ３９０でＢＴ　２．０接続リンクを通知される。スレーブデバイスとマスタデバイス間のＢＴ２．０リンクは、数字３９２で示されるように、それが実現可能である限り維持される。
【００３７】
図８ａから図９ｂが、ＢＴ　２．０接続リンクがスレーブデバイスにより要求されたときのスレーブデバイスとマスタデバイスのフローチャートを示していることに注意する必要がある。同様に、マスタデバイスは、ピコネットの任意のスレーブデバイスとＢＴ　２．０接続リンクを開始できる。
【００３８】
図１ｂに関連して説明されたように、要求側スレーブデバイスＳ２はＩ測定を実行するとき、それは、スレーブツーマスタ伝送自体および／またはそのスペクトル漏れを測定することを避ける。したがって、スレーブツーマスタ周波数チャネルと測定される周波数の間の適切な周波数オフセットが使用される。好ましくは、周波数オフセット値は、隣接チャネル上での伝送電力漏れが大きく測定結果に影響を与えないように十分に高い。例示的なチャネル測定周波数は図１０に示されている。図示されるように、奇数番号が付けられたタイムスロットは、搬送波電力Ｃ測定が行なわれるマスタツースレーブスロットであり、偶数番号付きのタイムスロットは、干渉雑音Ｉレベルが測定されるスレーブツーマスタスロットである。各スレーブツーマスタスロットでのＩ測定に使用されるチャネルが、現在のホッピングシーケンスでのスレーブツーマスタ周波数から４つのチャネルだけ偏位されることに注意する必要がある。図１０は、１スロットフレーム上でのパケット伝送のために、スレーブツーマスタスロットの間にＩ測定周波数を選択するための可能な方法を示す。
【００３９】
マルチスロットパケット伝送では、Ｉ測定チャネルとしてスレーブツーマスタスロットを測定することを防止するために特殊なオフセット計算が使用される。図１１ａと図１１ｂは、５個のタイムスロットを占有するパケットのホッピングシーケンスを示す。図１１ａでは、マスタツースレーブスロットの周波数はｆ１であるが、スレーブツーマスタスロットの周波数はｆ６である。たとえば、ｆ６とｆ１の両方と異なる測定周波数としてｆｂ＝ｆ６±ｆ４を使用することができる。同様に、図１１ｂでは、マスタツースレーブスロットの周波数はｆ１であるが、スレーブツーマスタスロットの周波数はｆ２である。たとえば、ｆ２とｆ１の両方と異なる測定周波数としてｆｂ＝ｆ２±４を使用することが可能である。
【００４０】
図１２ａと図１２ｂは、３個のタイムスロットを占有するパケットのホッピングシーケンスを示す。図１２ａでは、最初のマスタツースレーブスロットの周波数はｆ１であるが、その後のスレーブツーマスタスロットの周波数はｆ４である。たとえば、測定周波数としてｆ４とｆ１の両方と異なるｆｂ＝ｆ４±４を使用することが考えられる。同様に、図１２ｂでは、最初のマスタツースレーブスロットの周波数はｆ１であるが、その後のスレーブツーマスタスロットの周波数はｆ２である。たとえば、測定周波数としてｆ２とｆ１の両方と異なるｆｂ＝ｆ２±４を使用することが可能である。しかしながら、状況はさらに複雑である場合がある。ｆａをマルチスロットパケットの第１の可能な周波数とし、ｆｃを現在のホッピング周波数とし、Ｉ測定チャネルの周波数を、現在のホッピング周波数から１０ＭＨｚであるｆｂとする。イメージ（側帯波）周波数での不充分な分離が測定結果に影響を及ぼす可能性があるため、該１０ＭＨｚの周波数オフセットは、受信機のイメージ周波数が実際の周波数と一致しないことを保証することを目的とする。
【００４１】
ＩＳＭバンドの７９の利用可能な周波数チャネルの中で、１０＜｜ｆｂ−ｆａ｜＜６９の場合には、ｆｂ＝ｆｃ＋１０を使用できる。それ以外の場合、ｆｂについて考えられる値は、以下の等式から求められる。
【数１】
2004503139.tif 000004
である。
【００４２】
前述されたように、好ましい測定分解能は１ＭＨｚである。チャネル測定が完了した後、７９のＣの値と７９のＩの値があり、周波数チャネルごとに１つのＣ値と１つのＩ値がある。同じチャネルが何度も測定される可能性があるため、これらの値は、通常、一定数の測定されたＣ値とＩ値について平均化される。測定結果の平均化は、測定中（連続平均化）または測定後に実行できる。Ｃ値の平均化手順は以下に示され、
【数２】
2004503139.tif 000005
この場合、Ｎは測定回数であり、平均化が７９のチャネルのそれぞれで実行される。平均化がバンド全体で実行される場合には、
【数３】
2004503139.tif 000006
この場合Ｎは７９のチャネルのそれぞれでの測定回数である。
【００４３】
Ｉ測定結果は同様に平均化される。ただし、バンド全体での平均化は使用されない。バンド全体での搬送波電力Ｃの平均化は、バンド全体が使用されないことを意味する。バンド全体での搬送波電力Ｃの平均化は、最良のチャネル配置の選択がＩ値の測定だけに基づいていることを意味する。このケースでは、Ｃ測定値は必要とされない。この取り組み方法は、実際には望ましいものである高速フェイディングを無視する。高速フェイディングにより生じるノッチは伝搬環境にわずかな変化があってもきわめて迅速にその位置を変化しているため、最適チャネル配置を考慮するときにその位置を信頼してはならない。代わりに、Ｉの状態はおそらくチャネル配置で満足な結果を出すため、それらを測定することができる。
【００４４】
典型的な手順として、この量が利用可能な測定時間と接続初期化時間要件に依存するため、同じチャネルから測定された複数のＣ値とＩ値がパラメータ化される。たとえば、チャネルごとに１０回の測定を行なうことが必要とされる場合には、測定のために必要とされる時間は１０×７９×０．００１２５０秒＝０．９８秒である。測定されたＣ値とＩ値の精度は、受信されたＲＳＳＩ測定精度に依存している。ＲＳＳＩ測定の６４ｄＢダイナミックレンジの例が図１３に描かれる。
【００４５】
ＲＳＳＩ測定分解能に応じて、Ｃ値とＩ値を提示するために必要とされるビットの必要量を推定できる。たとえば、３ｄＢという分解能がある場合、ＲＳＳＩ測定のダイナミックレンジ全体を２２のレベルに分割できる。したがって、すべてのレベルを示すことができるように５ビットという最小値が使用される。測定されたＩ値を用いると、一定レベル超えるＩ値はアドレス指定するのに値しない可能性があるため、４ビットのデータだけを使用できる。それらの高いレベルでは、干渉するソースが強すぎ、Ｃ値が通常いくらであるのかに関係なく、Ｃ／Ｉ比をチャネル選択にとって小さくしすぎる。Ｃ測定とＩ測定に考えられる値は、表２に示される。
【００４６】
【表２】
2004503139.tif 000007
【００４７】
したがって、必要とされるデータパケットサイズは９×７９＝７１１ビットとなるだろう。このパケットサイズは、ＤＭ３／ＤＨ３　ＡＣＬパケット型が必要とされることを示す。しかしながら、１スロットパケット型を伝送で使用できるように測定データを編成することが可能である。実際には、これは１３６ビットから２１６ビットのパケット（ＤＭ１／ＤＨ１）を意味する。このケースでは、たとえば、測定データは並べ替えられなければならず、その結果、測定されたすべてのＣ値とＩ値の代わりに、９個から１２個の最低Ｉ値および対応するＣ値だけが報告される。Ｃ情報とＩ情報が一定の周波数チャネルだけに割り当てられるときには、報告されたＣ値とＩ値だけではなく、関連した周波数情報も通知されなければならないことに注意する必要がある。ＩＳＭの７９の周波数は、通知するために７ビットのデータを必要とする。データの白紙化とコード化前のデータパケットフォーマットの例は、図６に図示されるようにＬＭＰ＿ｍｅａｓｕｒｅｍｅｎｔ＿ｒｅｐｏｒｔ　ＰＤＵに示されている。
【００４８】
コード化が使用されないため、ＤＨ１パケットは、Ｃ値、Ｉ値および周波数値を含む最高１２個の測定単位を含むことができる。ＤＭ１パケットは、２／３コード化が使用されるために９つの測定された単位だけを含む。報告フォーマットの要約は表３に示されている。この報告フォーマットは、ＬＭＰ＿ａｃｃｅｐｔｅｄ＿ｓｔａｒｔ　ＰＤＵを用いてマスタデバイスによって定義できる。
【００４９】
【表３】
2004503139.tif 000008
【００５０】
ＢＴ　２．０チャネル幅がチャネル測定分解能と異なる可能性のあることを考慮に入れることができるように、測定結果をチャネルウィンドウ化によってさらに処理することができる。チャネルウィンドウ化用のウィンドウは、たとえば、もとは１ＭＨｚ解像度の測定データを通り抜けるスライド平均ウィンドウである場合がある。スライド式ウィンドウの幅は、たとえばＢＴ　２．０チャネルのチャネル帯域幅と同じである場合がある。チャネル測定で使用されるチャネルウィンドウ化の例は図１４に示される。このように所望される場合には、隣接チャネルまたはチャネル群全体に対して異なる重みを活用することもできる。チャネル選択フィルタリングのため、隣接チャネルでの干渉は、通常、使用されているチャネルでの干渉ほど大きくない。図１４では、チャネルウィンドウ化により処理されるＩ値は、
【数４】
2004503139.tif 000009
によって示され、この場合Ｎはチャネルウィンドウ化が実行される周波数チャネル数である。Ｎ＝４の場合、ｓ２は、たとえば、ｆ２、ｆ３、ｆ４およびｆ５でのＩのチャネルウィンドウ化平均値である。図１４に図示されるように、ｓ０は干渉の最低レベルを有する。したがって、ｓ０はチャネルｆ０、ｆ１、ｆ２およびｆ３での干渉の総計であるため、それらのチャネルのどれか１つをＢＴ　２．０伝送に使用することができる。その理由から、チャネル７６の後の干渉の総計は利用できない。
【００５１】
図１５は、適応伝送路の割り当てのためのシステム２０を示すブロック図である。図１５に示されるように、システム２０はピコネット内の電子装置に含まれる複数の機構を含む。とくに、スレーブデバイス３０は、ＢＴ　２．０接続リンクの確立を要求する要求２００（図１ａを参照すること）をマスタデバイス４０に送信するための要求側機構３２を含む。マスタデバイスは、それが少なくとも要求の時点でＢＴ　２．０接続リンクをサポートできるかどうかを判断するための決定機構４２を含む。スレーブデバイスは、さらに、チャネル測定用の機構３４、測定結果を処理し、測定結果をマスタデバイスに報告するための機構３６を含む。好ましくは、スレーブデバイスは、マスタデバイスが要求に応えることができないことを認識するための機構３８も含む。また、マスタデバイスとスレーブデバイスの両方とも、その間にＢＴ　２．０またはＢＴ　１．０接続リンクを確立するための機構５０を含む。図１５に図示されるように、図１ｂの応答２０２および図１ｃの応答２０４のような他のメッセージ２３０も、あるデバイスから別のデバイスに送信できる。
【００５２】
発明はその好ましい実施形態に関して説明されてきたが、その形式および詳細における前記および多様な他の変更、省略および偏差を、本発明の精神および範囲から逸脱することなく加えることができることが当業者によって理解されるだろう。
【図面の簡単な説明】
【図１ａ】
スレーブデバイスが、ＢＴ　２．０接続リンクを要求する要求をマスタデバイスに送信するピコネットでの接続リンクの確立手順を描く図式表示である。
【図１ｂ】
マスタデバイスが要求側スレーブデバイスに応答し、スレーブデバイスにチャネル測定を接続するように依頼するのを描く図式表示である。
【図１ｃ】
スレーブデバイスが測定レポートをマスタデバイスに送信することを描く図式表示である。
【図１ｄ】
マスタデバイスが複数のチャネルパラメータをスレーブデバイスに送信することを描く図式表示である。
【図１ｅ】
スレーブデバイスがチャネルパラメータの受信を肯定応答するのを描く図式表示である。
【図１ｆ】
マスタデバイスが、非要求側スレーブデバイスのマスタデバイスであることを停止するのを描く図式表記である。
【図１ｇ】
元のマスタデバイスと要求側スレーブデバイス間のＢＴ　２．０接続リンクの確立を描く図式表記である。
【図２】
スレーブデバイスが、マスタデバイスとのＢＴ２．０接続リンクを要求するための例示的なＰＤＵを描くフレーム構造である。
【図３】
ＬＭＰ＿ｎｏｔ＿ａｃｃｅｐｔｅｄ応答として使用される例示的なＰＤＵフォーマットを描くフレーム構造である。
【図４】
ＬＭＰ＿ａｃｃｅｐｔｅｄ＿ｓｔａｒｔ応答として使用される例示的なＰＤＵフォーマットを描くフレーム構造である。
【図５】
ＬＭＰ＿ａｃｃｅｐｔｅｄ＿ｅｓｔａｂｌｉｓｈ応答として使用される例示的なＰＤＵフォーマットを描くフレーム構造である。
【図６】
ＬＭＰ＿ｍｅａｓｕｒｅｍｅｎｔ＿ｒｅｐｏｒｔ応答として使用される例示的なＰＤＵフォーマットを描くフレーム構造である。
【図７ａ】
ＢＴ　２．０接続リンクを確立する際に考えられるシグナリングシーケンスを描く。
【図７ｂ】
ＢＴ　２．０接続リンクを確立する際に考えられる別の信号シーケンスを描く。
【図８ａ】
ＢＴ　２．０接続リンクを要求するスレーブデバイスの例示的な状態図を描くフローチャートである。
【図８ｂ】
ＢＴ　２．０接続リンクを要求するスレーブデバイスの例示的な状態図を描くフローチャートである。
【図９ａ】
ＢＴ　２．０接続リンク確立の要求に応えるマスタデバイスの例示的な状態図を描くフローチャートである。
【図９ｂ】
ＢＴ　２．０接続リンク確立の要求に応えるマスタデバイスの例示的な状態図を描くフローチャートである。
【図１０】
チャネル測定周波数の選択を描く図式表示である。
【図１１ａ】
５個のタイムスロットを占有するパケットのホッピング周波数例を描く図式表示である。
【図１１ｂ】
５個のタイムスロットを占有するパケットのホッピング周波数例を描く図式表示である。
【図１２ａ】
３個のタイムスロットを占有するパケットのホッピングシーケンス例を描く図式表示である。
【図１２ｂ】
３個のタイムスロットを占有するパケットのホッピングシーケンス例を描く図式表示である。
【図１３】
ＲＳＳＩダイナミックレンジの例を描く図式表示である。
【図１４】
チャネルウィンドウ機能の一例を示す。
【図１５】
伝送路の適応割り当てのためのシステムを描くブロック図である。
【図２】
2004503139.tif 000010
【図３】
2004503139.tif 000011
【図４】
2004503139.tif 000012
【図５】
2004503139.tif 000013
【図６】
2004503139.tif 000014
【図７ａ】
2004503139.tif 000015
【図７ｂ】
2004503139.tif 000016
【図８ａ】
2004503139.tif 000017
【図８ｂ】
2004503139.tif 000018
【図９ａ】
2004503139.tif 000019
【図９ｂ】
2004503139.tif 000020
【図１０】
2004503139.tif 000021
【図１１】
2004503139.tif 000022
【図１２】
2004503139.tif 000023
【図１３】
2004503139.tif 000024
【図１４】
2004503139.tif 000025
【図１５】
2004503139.tif 000026
【国際公開パンフレット】
2004503139.tif 000027
2004503139.tif 000028
2004503139.tif 000029
2004503139.tif 000030
2004503139.tif 000031
2004503139.tif 000032
2004503139.tif 000033
2004503139.tif 000034
2004503139.tif 000035
2004503139.tif 000036
2004503139.tif 000037
2004503139.tif 000038
2004503139.tif 000039
2004503139.tif 000040
2004503139.tif 000041
2004503139.tif 000042
2004503139.tif 000043
2004503139.tif 000044
2004503139.tif 000045
2004503139.tif 000046
2004503139.tif 000047
2004503139.tif 000048
2004503139.tif 000049
2004503139.tif 000050
2004503139.tif 000051
2004503139.tif 000052
2004503139.tif 000053
2004503139.tif 000054
2004503139.tif 000055
2004503139.tif 000056
2004503139.tif 000057
2004503139.tif 000058
2004503139.tif 000059
2004503139.tif 000060
2004503139.tif 000061
2004503139.tif 000062
2004503139.tif 000063
2004503139.tif 000064
2004503139.tif 000065
2004503139.tif 000066
2004503139.tif 000067
2004503139.tif 000068
2004503139.tif 000069
2004503139.tif 000070
【国際公開パンフレット（コレクトバージョン）】
2004503139.tif 000071
2004503139.tif 000072
【国際調査報告】
2004503139.tif 000073
2004503139.tif 000074
2004503139.tif 000075